(57)【要約】      （修正有）【課題】内部に可撓性を有する袋体を入れる際に、周壁内側面や底面部にできるだけ沿わせた態様に袋体を拡張させる仕組みを持ったゴミ箱を提供する。【解決手段】可撓性を有する袋体２０を内側に載置するゴミ箱１であって、底面部１０と、底面部１０から筒状に立ち上がる周壁７と、ゴミ箱１内部の空気を吸い込むために周壁７に設けられる開口部９とを有する。【選択図】図１
0003221777.tif 000002
【実用新案登録請求の範囲】
【請求項１】
可撓性を有する袋体を内側に載置するゴミ箱であって、
底面部と、
前記底面部から筒状に立ち上がる周壁と、
前記ゴミ箱内部の空気を吸い込むために前記周壁に設けられる開口部と、
を有することを特徴とするゴミ箱。
【請求項２】
前記開口部は、前記底面部から前記周壁の１／３の高さより下側の領域に設けられることを特徴とする請求項１に記載のゴミ箱。
【請求項３】
前記袋体を前記ゴミ箱に当接させて周方向に保持する袋体保持手段を有することを特徴とする請求項１または請求項２記載のゴミ箱。
【請求項４】
前記周壁の外面には、径方向外向きに突き出した凸部が設けられていることを特徴とする請求項３に記載のゴミ箱。
【請求項５】
前記袋体保持手段が弾性を有することを特徴とする請求項３または請求項４に記載のゴミ箱。
【請求項６】
前記吸引口には、前記袋体の通過を規制する規制面があることを特徴とする請求項１から請求項５のうちのいずれか一項に記載のゴミ箱。
【考案の詳細な説明】
【技術分野】
【０００１】
本考案は、可撓性を有する袋体を内側に載置するゴミ箱に関する。
【背景技術】
【０００２】
不要物を一時的に投棄するゴミ箱は、家庭内における必需品であり、様々な意匠と機能を有する物が存在する。従来のゴミ箱は、内部に可撓性を有する袋体、例えばビニールでできたゴミ袋等を入れてゴミ箱自体に投棄物の汚れが付着しないようにして使用することが多い。
【０００３】
図４は、従来のゴミ箱１０１に袋体１２０を入れて使用する態様を示した斜視図である。ゴミ箱１０１は底面部１１０と、底面部１１０から立ち上がる周壁１０７を備える。ゴミ箱１０１の使用者は、投棄口１０５から可撓性を有する袋体１２０を入れる。例えば具体的には袋体１２０はポリエチレンや塩化ビニール等でできた薄い合成樹脂材料によって製造されるため柔軟性が高い。ここで問題となるのは、単に袋体１２０を投棄口１０５からゴミ箱１０１の内部に入れても、袋体１２０が自然に周壁１０７や底面部１１０へ沿うようには拡張しないということである。したがってこのまま放置すると、袋体１２０の脇の内部空間１１５に無駄な空間が残ってしまい、投棄される不要物を十分に収容できない事態が生じ得る。
【０００４】
また袋体を入れることが資源節約の側面から好ましくないと考える場合には、ゴミ箱自体に特別な工夫をすることも公知の技術として知られている（例えば、特許文献１参照）。
【先行技術文献】
【特許文献】
【０００５】
【特許文献１】特許第６１７８９５４号公報
【考案の概要】
【考案が解決しようとする課題】
【０００６】
しかしながら、ゴミ箱の材料自体に工夫をしたものを用意することは面倒であり、また前述の如くただ単に袋体をゴミ箱に入れる場合には、ゴミ箱の中で袋体が上手く拡張できず投棄物が十分に収容できない可能性がある。本考案が解決しようとする課題は、ゴミ箱の内部に可撓性を有する袋体を入れる際に、周壁内側面や底面部にできるだけ沿わせた態様に袋体を拡張させることである。
【課題を解決するための手段】
【０００７】
（１）本発明は、可撓性を有する袋体を内側に載置するゴミ箱であって、底面部と、前記底面部から筒状に立ち上がる周壁と、前記ゴミ箱内部の空気を吸い込むために前記周壁に設けられる開口部と、を有することを特徴とするゴミ箱を提供する。
【０００８】
上記（１）に記載する考案によれば、開口部からゴミ箱の内部空間にある空気を吸引することで袋体とゴミ箱の周壁内側や底面部内側の間の空間の気圧を低くするでき、袋体が大気圧に押されてゴミ箱の内部空間で拡張しやすくなるという優れた効果を奏し得る。
（２）本発明は、前記開口部は、前記底面部から前記周壁の１／３の高さより下側の領域に設けられることを特徴とする上記（１）に記載のゴミ箱を提供する。
【０００９】
ゴミ箱の内部空間から空気を吸引する開口部が周壁の上側にあると、その近傍の袋体が主に開口部へ引き寄せられて、袋体の下側があまり拡張しない現象が生じ得る。上記（２）に記載する考案によれば、ゴミ箱の内部空間の気圧を低くしたときに袋体の下側まで拡張しやすいという優れた効果を奏する。
【００１０】
（３）本発明は、前記袋体を前記ゴミ箱に当接させて周方向に保持する袋体保持手段を有することを特徴とする上記（１）または上記（２）に記載のゴミ箱を提供する。
【００１１】
上記（３）に記載する考案によれば、ゴミ箱の周壁と袋体の間から空気が入り難くなるので、開口部から空気を吸引した際に周壁と袋体の間の内部空間の気圧を低下させることが容易になり、袋体の拡張が効率的に行い得るという優れた効果を奏する。
（４）本発明は、前記周壁の外面には、径方向外向きに突き出した凸部が設けられていることを特徴とする上記（３）に記載のゴミ箱を提供する。
【００１２】
開口部から空気を吸引してゴミ箱と袋体の間の内部空間の気圧を低くすると、袋体と袋体保持手段の両者がゴミ箱の内部に引き込まれて、袋体保持手段が機能できなくなってしまう可能性がある。上記（４）に記載する考案によれば、周壁の外面に径方向外向きの凸部があるので袋体保持手段が凸部に動きを規制されることで、袋体がゴミ箱の内部に引き込まれ難くするという優れた効果を奏する。
（５）本発明は、前記袋体保持手段が弾性を有することを特徴とする上記（３）または上記（４）に記載のゴミ箱を提供する。
【００１３】
上記（５）に記載する考案によれば、周壁の外面と袋体の間の密着性を高めることで、ゴミ箱と袋体の間の空間の気密性を高め、開口部から空気を吸引した際に、より効率的にゴミ箱と袋体の間の内部空間の気圧を低くすることができ、袋体がゴミ箱の中で拡張しやすくなるという優れた効果を奏する。
【００１４】
（６）本発明は、前記吸引口には、前記袋体の通過を規制する規制面があることを特徴とする上記（１）乃至上記（５）のうちのいずれかに記載のゴミ箱を提供する。
【００１５】
袋体が可撓性を有し柔軟である場合に、開口部から空気を吸引すると袋体が開口部に張り付いて塞いでしまう可能性がある。上記（６）に記載する考案によれば、吸引口には、袋体の通過を規制する規制面があるので、袋体が開口部を塞ぎにくく、袋体がゴミ箱の内部で拡張しやすいという優れた効果を奏する。
【考案の効果】
【００１６】
本考案の請求項１〜６記載のゴミ箱によれば、、開口部からゴミ箱の内部空間にある空気を吸引することで袋体とゴミ箱の周壁内側や底面部内側の間の空間の気圧を低くすることで、袋体がゴミ箱の内部空間で拡張するという優れた効果を奏し得る。
【図面の簡単な説明】
【００１７】
【図１】（Ａ）本考案の第一実施形態に係るゴミ箱の斜視図である。（Ｂ）ゴミ箱の内側に袋体を入れた態様を示す説明図である。
【図２】（Ａ）ゴミ箱に袋体を入れた時の断面図である。（Ｂ）袋体保持手段を取り付けた上で、吸引装置の端部をゴミ箱の開口部に当接させて吸引した時の断面図である。
【図３】（Ａ）本考案の第二実施形態に係るゴミ箱の断面図である。（Ｂ）規制面の存在により袋体が開口部に張り付くことを回避していることを説明する説明図である。
【図４】従来の袋体の内部に、袋体を入れて使用する態様の説明図である。
【考案を実施するための形態】
【００１８】
以下、本考案の実施の形態を添付図面を参照して説明する。
図１〜図３は考案を実施する形態の一例であって、図中同一の符号を付した部分は同一物を表わし、基本的な構成は図に示す従来のものと同様である。
【００１９】
図１（Ａ）は、本考案の第一実施形態に係るゴミ箱１の斜視図である。ゴミ箱１は、底面部１０と、底面部１０から筒状に立ち上がる周壁７を備え、上面部に使用者が不要物を投入するための開口部を有する。周壁７において、ゴミ箱１の深さの１／３、言い換えればゴミ箱１の底面部１０から測定して周壁７の高さの１／３より下側の領域に、ゴミ箱１内部の空気を吸い込むための開口部９が設けられる。開口部９には袋体の通過を規制する格子状の規制面１７が設けられる。複数の穴が開けられていても良い。
【００２０】
周壁外面１３には、径方向外向きに突き出した凸部４０が設けられている。凸部４０は周方向に環状に設けられ、凸部４０の位置は投棄口５の近傍、例えば投棄口５の端部から１０ｃｍ以内が望ましい。ただし凸部４０の形状は上記のような環状に限らない。
【００２１】
図１（Ｂ）は、ゴミ箱１の内側に袋体２０を入れた態様を示す説明図である。何も工夫をしないと可撓性、柔軟性のある袋体２０は自然には広がらず、図２（Ｂ）で示すように内部空間１５に大きな隙間空間が発生する可能性がある。
【００２２】
図２（Ａ）は、ゴミ箱１に袋体２０を入れた時の断面図である。この図では袋体保持手段５０を、周壁外面１３に設けられた凸部４０より底面部１０側に巻き付けることで袋体２０の端部を押さえている。このようにすることで、袋体２０とゴミ箱１の間の空間がある程度の気密性を保つことになる。
袋体保持手段５０は弾性を有することが望ましい。例えば、具体的には環状のゴムであってよい。
【００２３】
図２（Ｂ）は、袋体保持手段５０を取り付けた上で、吸引装置（図示省略）の端部である吸引装置端部３０をゴミ箱１の開口部９に当接させて、ゴミ箱１の内部空間１５にある空気を吸引した時の変化を示す断面図である。元々、袋体２０が破線で示すような形状をしていたとしても、開口部９からの吸引によって袋体とゴミ箱１の間の空間の圧力が低下し袋体２０が広がってゴミ箱１の周壁７内側や底面部１０に沿った形状になる。
図３（Ａ）は、本考案の第二実施形態に係るゴミ箱１の断面図である。開口部９に設けられる規制面１７がゴミ箱１の内部空間１５に突出している。
【００２４】
図３（Ｂ）は、規制面１７の存在により袋体２０が開口部９に張り付くことを回避していることを説明する説明図である。開口部９に接続された吸引装置端部３０から内部空間１５の空気を吸引するときに、袋体２０が開口部９の一部を塞いだとしても、例えば脇の空間から、一点鎖線の矢印で示す経路に従って空気を吸引することができるので、袋体２０がゴミ箱１の内部空間１５で十分拡張するまで、内部空間１５の気圧を低下させることができる。
【００２５】
本考案の実施形態に係るゴミ箱１によれば、開口部９からゴミ箱１の内部空間１５にある空気を吸引することで袋体２０とゴミ箱１の周壁７の内側や底面部１０内側の間の空間の気圧を低くするでき、袋体が大気圧に押されてゴミ箱の内部空間で拡張しやすくなるという優れた効果を奏し得る。
【００２６】
ゴミ箱１の内部空間１５から空気を吸引する開口部９が周壁７の上側にあると、その近傍の袋体２０が引き寄せられて、袋体２０の下側があまり拡張しない現象が生じ得る。本考案の実施形態に係るゴミ箱１によれば、ゴミ箱の内部空間１５の気圧を低くしたときに袋体２０の下側まで拡張しやすいという優れた効果を奏する。
【００２７】
本考案の実施形態に係るゴミ箱１によれば、ゴミ箱１の周壁７と袋体２０の隙間から空気が入り難くなるので、開口部９から空気を吸引した際に周壁７と袋体２０の間の内部空間１５の気圧を低下させることが容易になり、袋体２０の拡張が効率的に行い得るという優れた効果を奏する。
【００２８】
開口部９から空気を吸引してゴミ箱１と袋体２０の間の内部空間１５の気圧を低くすると、袋体と袋体保持手段の両者がゴミ箱１の内部に引き込まれて、袋体保持手段５０が機能できなくなってしまう可能性がある。本考案の実施形態に係るゴミ箱１によれば、周壁７の外面１３に径方向外向きの凸部４０があるので袋体保持手段５０が凸部４０に動きを規制されることで、袋体２０がゴミ箱１の内部に引き込まれ難くするという優れた効果を奏する。
【００２９】
本考案の実施形態に係るゴミ箱１によれば、周壁７の外面１３と袋体２０の間の密着性を高めることで、ゴミ箱１と袋体２０の間の空間の気密性を高め、開口部９から空気を吸引した際に、より効率的にゴミ箱１と袋体２０の間の内部空間１５の気圧を低くすることができ、袋体２０がゴミ箱１の中で拡張しやすくなるという優れた効果を奏する。
【００３０】
袋体２０が可撓性を有し柔軟である場合に、開口部９から空気を吸引すると袋体２０が開口部９に張り付いて塞いでしまう可能性がある。本考案の実施形態に係るゴミ箱１によれば、吸引口９には、袋体２０の通過を規制する規制面１７があるので、袋体２０が開口部９を塞ぎにくく、袋体２０がゴミ箱１の内部で拡張しやすいという優れた効果を奏する。
尚、本考案に係るゴミ箱は、上記した実施の形態に限定されるものではなく、本考案の要旨を逸脱しない範囲内において種々変更を加え得ることは勿論である。
【符号の説明】
【００３１】
１        ゴミ箱
５        投棄口
７        周壁
９        開口部
１０      底面部
１３      周壁外面
１５      内部空間
１７      規制面
２０      袋体
３０      吸引装置端部
４０      凸部
５０      袋体保持手段
１０１    ゴミ箱
１０５    投棄口
１０７    周壁
１１０    底面部
１１５    内部空間
１２０    袋体
【図１】
0003221777.tif 000003
【図２】
0003221777.tif 000004
【図３】
0003221777.tif 000005
【図４】
0003221777.tif 000006
【手続補正書】
【提出日】平成31年4月12日(2019.4.12)
【手続補正１】
【補正対象書類名】実用新案登録請求の範囲
【補正対象項目名】請求項６
【補正方法】変更
【補正の内容】
【請求項６】
前記開口部には、前記袋体の通過を規制する規制面があることを特徴とする請求項１から請求項５のうちのいずれか一項に記載のゴミ箱。
【手続補正２】
【補正対象書類名】明細書
【補正対象項目名】００１４
【補正方法】変更
【補正の内容】
【００１４】
（６）本発明は、前記開口部には、前記袋体の通過を規制する規制面があることを特徴とする上記（１）乃至上記（５）のうちのいずれかに記載のゴミ箱を提供する。
【手続補正３】
【補正対象書類名】明細書
【補正対象項目名】００１５
【補正方法】変更
【補正の内容】
【００１５】
袋体が可撓性を有し柔軟である場合に、開口部から空気を吸引すると袋体が開口部に張り付いて塞いでしまう可能性がある。上記（６）に記載する考案によれば、開口部には、袋体の通過を規制する規制面があるので、袋体が開口部を塞ぎにくく、袋体がゴミ箱の内部で拡張しやすいという優れた効果を奏する。
【手続補正４】
【補正対象書類名】明細書
【補正対象項目名】００３０
【補正方法】変更
【補正の内容】
【００３０】
袋体２０が可撓性を有し柔軟である場合に、開口部９から空気を吸引すると袋体２０が開口部９に張り付いて塞いでしまう可能性がある。本考案の実施形態に係るゴミ箱１によれば、開口部９には、袋体２０の通過を規制する規制面１７があるので、袋体２０が開口部９を塞ぎにくく、袋体２０がゴミ箱１の内部で拡張しやすいという優れた効果を奏する。
尚、本考案に係るゴミ箱は、上記した実施の形態に限定されるものではなく、本考案の要旨を逸脱しない範囲内において種々変更を加え得ることは勿論である。